(57)【特許請求の範囲】
【請求項１】
エンジンと、
前記エンジンの出力に基づいて発電を行い、外部の特定電気機器と接続される発電機と、
複数の抵抗ユニットを有する抵抗部と、
インバーターと、
通常モードと試験モードとを切り替えるために使用される操作部と、
第１スイッチ部と、
第２スイッチ部とを備えた発電システムであって、
前記複数の抵抗ユニットは、前記発電機に対して並列に接続され、
前記複数の抵抗ユニットのそれぞれは、バッテリーと、前記バッテリーと前記発電機の間に設けられた充電回路を有するものであり、
前記第１スイッチ部は、前記抵抗ユニットのバッテリー若しくは前記特定電気機器への電力の供給元を、商用電源と前記発電機とで切り替え制御するために使用され、
前記第２スイッチ部は、前記特定電気機器への電力の供給元を、前記発電機と前記インバーターを介した前記抵抗ユニットのバッテリーとで切り替え制御するために使用され、
前記操作部を介して前記通常モードに設定された状態で、商用電源から前記特定電気機器への電力供給が不能となった場合には、前記エンジンを始動してから第１時間が経過するまで若しくは前記発電機が定常運転状態になるまでは、前記インバーターと前記第２スイッチ部を介して前記バッテリーからの電力が前記特定電気機器へ供給されるものであり、
前記操作部を介して前記試験モードに設定された場合には、前記発電機が発電を行う状態で、前記バッテリーの放電試験のために、前記インバーターと前記第２スイッチ部を介して前記バッテリーからの電力が前記特定電気機器へ供給され、その後、前記発電機の負荷試験のために、前記バッテリーから前記特定電気機器への電力供給が停止され、前記第１スイッチ部を介して前記発電機からの電力が前記複数のバッテリーのうち少なくとも１つへ供給されることを特徴とする発電システム。
【請求項２】
前記発電システムに接続される前記特定電気機器よりも消費電力が大きい負荷を有する放電回路と、
第３スイッチ部とを更に備え、
前記第３スイッチ部は、前記インバーターを介した前記バッテリーからの電力の供給先を、前記特定電気機器と前記放電回路とで切り替え制御するために使用され、
前記操作部を介して前記試験モードに設定された場合には、前記発電機が発電を行う状態で、前記バッテリーの放電試験のために、前記インバーターと前記第３スイッチ部と前記第２スイッチ部を介して前記バッテリーからの電力が前記特定電気機器へ供給され、
前記第１時間経過後であって、前記発電機の負荷試験の前に、前記インバーターと前記第３スイッチ部を介して前記バッテリーからの電力が前記放電回路へ供給され、
前記負荷試験の際は、前記バッテリーから前記放電回路への電力供給が停止され、前記第１スイッチ部を介して前記発電機からの電力が前記複数のバッテリーのうち少なくとも１つへ供給されることを特徴とする請求項１に記載の発電システム。
【請求項３】
前記インバーターと前記第３スイッチ部の間に、継電器が設けられ、
前記継電器で検出される電圧若しくは電流が閾値以下になると、前記インバーターと前記第３スイッチ部を介して前記バッテリーから前記放電回路への電力供給が、前記第１スイッチ部を介して前記発電機から前記バッテリーの少なくとも一つへの電力供給に切り替えられることを特徴とする請求項２の発電システム。
【請求項４】
前記第１スイッチ部のリレーコイルに電流が流れていないオフ状態の時に前記第１スイッチ部の可動接点と接続する前記第１スイッチ部の常時閉路接点は、前記発電機からの電力線と接続され、
前記第２スイッチ部のリレーコイルに電流が流れていないオフ状態の時に前記第２スイッチ部の可動接点と接続する前記第２スイッチ部の常時閉路接点は、前記第１スイッチ部を介した前記発電機若しくは前記商用電源からの電力線と接続されることを特徴とする請求項１に記載の発電システム。
【請求項５】
エンジンと、前記エンジンの出力に基づいて発電を行い、外部の特定電気機器と接続される発電機と、複数の抵抗ユニットを有する抵抗部と、インバーターと、通常モードと試験モードとを切り替えるために使用される操作部と、第１スイッチ部と、第２スイッチ部とを備えた発電システムにおける前記発電機の負荷試験方法であって、
前記複数の抵抗ユニットは、前記発電機に対して並列に接続され、
前記複数の抵抗ユニットのそれぞれは、バッテリーと、前記バッテリーと前記発電機の間に設けられた充電回路を有するものであり、
前記第１スイッチ部は、前記抵抗ユニットのバッテリー若しくは前記特定電気機器への電力の供給元を、商用電源と前記発電機とで切り替え制御するために使用され、
前記第２スイッチ部は、前記特定電気機器への電力の供給元を、前記発電機と前記インバーターを介した抵抗ユニットのバッテリーとで切り替え制御するために使用され、
前記操作部を介して前記通常モードに設定された状態で、商用電源から前記特定電気機器への電力供給が不能となった場合には、前記エンジンを始動してから第１時間が経過するまで若しくは前記発電機が定常運転状態になるまでは、前記インバーターと前記第２スイッチ部を介して前記バッテリーからの電力が前記特定電気機器へ供給されるものであり、
前記操作部を介して前記試験モードに設定され、前記発電機が発電を行う状態で、前記インバーターと前記第２スイッチ部を介して前記バッテリーからの電力が前記特定電気機器へ供給されるバッテリー放電試験ステップと、
前記バッテリー放電試験ステップの後、前記バッテリーから前記特定電気機器への電力供給が停止され、前記第１スイッチ部を介して前記発電機からの電力が前記複数のバッテリーのうち少なくとも１つへ供給される負荷試験ステップとを備えることを特徴とする負荷試験方法。
【発明の詳細な説明】
【技術分野】
【０００１】
本発明は、停電時に電力供給を行う発電システムに関する。
【背景技術】
【０００２】
従来、特許文献１のように、停電時に電力供給を行う発電システム（電源装置）が提案されている。
【先行技術文献】
【特許文献】
【０００３】
【特許文献１】特開２０１３−２３００６３号公報
【発明の概要】
【発明が解決しようとする課題】
【０００４】
しかし、発電機やバッテリーが正しく動作するかについての試験が考慮されていない。【０００５】
したがって本発明の目的は、バッテリーの放電試験や発電機の負荷試験が可能な発電システムを提供することである。
【課題を解決するための手段】
【０００６】
本発明に係る発電システムは、エンジンと、エンジンの出力に基づいて発電を行い、外部の特定電気機器と接続される発電機と、複数の抵抗ユニットを有する抵抗部と、インバーターと、通常モードと試験モードとを切り替えるために使用される操作部と、第１スイッチ部と、第２スイッチ部とを備えた発電システムであって、複数の抵抗ユニットは、発電機に対して並列に接続され、複数の抵抗ユニットのそれぞれは、バッテリーと、バッテリーと発電機の間に設けられた充電回路を有するものであり、第１スイッチ部は、抵抗ユニットのバッテリー若しくは特定電気機器への電力の供給元を、商用電源と発電機とで切り替え制御するために使用され、第２スイッチ部は、特定電気機器への電力の供給元を、発電機とインバーターを介した抵抗ユニットのバッテリーとで切り替え制御するために使用され、操作部を介して通常モードに設定された状態で、商用電源から特定電気機器への電力供給が不能となった場合には、エンジンを始動してから第１時間が経過するまで若しくは発電機が定常運転状態になるまでは、インバーターと第２スイッチ部を介してバッテリーからの電力が特定電気機器へ供給されるものであり、操作部を介して試験モードに設定された場合には、発電機が発電を行う状態で、バッテリーの放電試験のために、インバーターと第２スイッチ部を介してバッテリーからの電力が特定電気機器へ供給され、その後、発電機の負荷試験のために、バッテリーから特定電気機器への電力供給が停止され、第１スイッチ部を介して発電機からの電力が複数のバッテリーのうち少なくとも１つへ供給される。【０００７】
特定電気機器への電力供給を行う発電機とバッテリーを含む抵抗ユニットとを備えた発電システムにより、商用電源からの電力供給が不能となった場合でも、スムーズに、バッテリーや発電機から供給された電力で、特定電気機器を駆動することが出来る。【０００８】
バッテリーを含む抵抗ユニットが並列に複数設けられ、これら複数の抵抗ユニットと発電機との接続状態を切り替えることにより、発電機の負荷試験を行うことが出来る。
また、その前にバッテリー群から特定電気機器への電力供給を行うので、停電時にエンジンを始動してから発電機が定常運転になるまでの間、バッテリー群が特定電気機器への電力供給を維持出来るかどうかの試験（放電試験）を行うことが出来る。
放電試験の際に、セルモーターを使ってエンジンを始動し、発電機による発電を行っておくので、放電試験中や負荷試験中に停電が起きても、瞬時に発電機から特定電気機器への電力供給に切り替えることが出来る。【０００９】
好ましくは、発電システムに接続される特定電気機器よりも消費電力が大きい負荷を有する放電回路と、第３スイッチ部とを更に備え、第３スイッチ部は、インバーターを介したバッテリーからの電力の供給先を、特定電気機器と放電回路とで切り替え制御するために使用され、操作部を介して試験モードに設定された場合には、発電機が発電を行う状態で、バッテリーの放電試験のために、インバーターと第３スイッチ部と第２スイッチ部を介してバッテリーからの電力が特定電気機器へ供給され、第１時間経過後であって、発電機の負荷試験の前に、インバーターと第３スイッチ部を介してバッテリーからの電力が放電回路へ供給され、負荷試験の際は、バッテリーから放電回路への電力供給が停止され、第１スイッチ部を介して発電機からの電力が複数のバッテリーのうち少なくとも１つへ供給される。【００１０】
放電試験完了後は、バッテリー群から特定電気機器への電力供給を、バッテリー群から放電回路への電力供給に切り替える。
消費電力が大きい放電回路への電力供給に切り替えることにより、バッテリーの放電時間を早めることが出来、また、特定電気機器の使用を最小限に抑えることが出来る。【００１１】
さらに好ましくは、インバーターと第３スイッチ部の間に、継電器が設けられ、継電器で検出される電圧若しくは電流が閾値以下になると、インバーターと第３スイッチ部を介してバッテリーから放電回路への電力供給が、第１スイッチ部を介して発電機からバッテリーの少なくとも一つへの電力供給に切り替えられる。【００１２】
また、好ましくは、第１スイッチ部のリレーコイルに電流が流れていないオフ状態の時に第１スイッチ部の可動接点と接続する第１スイッチ部の常時閉路接点は、発電機からの電力線と接続され、第２スイッチ部のリレーコイルに電流が流れていないオフ状態の時に第２スイッチ部の可動接点と接続する第２スイッチ部の常時閉路接点は、第１スイッチ部を介した発電機若しくは商用電源からの電力線と接続される。【００１３】
各スイッチの駆動用の電源からの電力供給が途絶えても、発電機から特定電気機器への電力供給を行うスイッチ状態が維持されるので、エンジンや発電機が動作している限り、特定電気機器への電力供給を維持することが出来る。【００１４】
本発明に係る発電システムにおける発電機の負荷試験方法は、エンジンと、エンジンの出力に基づいて発電を行い、外部の特定電気機器と接続される発電機と、複数の抵抗ユニットを有する抵抗部と、インバーターと、通常モードと試験モードとを切り替えるために使用される操作部と、第１スイッチ部と、第２スイッチ部とを備え、複数の抵抗ユニットは、発電機に対して並列に接続され、複数の抵抗ユニットのそれぞれは、バッテリーと、バッテリーと発電機の間に設けられた充電回路を有するものであり、第１スイッチ部は、抵抗ユニットのバッテリー若しくは特定電気機器への電力の供給元を、商用電源と発電機とで切り替え制御するために使用され、第２スイッチ部は、特定電気機器への電力の供給元を、発電機とインバーターを介した抵抗ユニットのバッテリーとで切り替え制御するために使用され、操作部を介して通常モードに設定された状態で、商用電源から特定電気機器への電力供給が不能となった場合には、エンジンを始動してから第１時間が経過するまで若しくは発電機が定常運転状態になるまでは、インバーターと第２スイッチ部を介してバッテリーからの電力が特定電気機器へ供給されるものであり、操作部を介して試験モードに設定され、発電機が発電を行う状態で、インバーターと第２スイッチ部を介してバッテリーからの電力が特定電気機器へ供給されるバッテリー放電試験ステップと、バッテリー放電試験ステップの後、バッテリーから特定電気機器への電力供給が停止され、第１スイッチ部を介して発電機からの電力が複数のバッテリーのうち少なくとも１つへ供給される負荷試験ステップとを備える。
【発明の効果】
【００１５】
以上のように本発明によれば、バッテリーの放電試験や発電機の負荷試験が可能な発電システムを提供することができる。
【図面の簡単な説明】
【００１６】
【図１】本実施形態における発電システムの構成を示す模式図で、「通常モード」で且つ停電していない状態を示す図である。
【図２】操作部の構成を示す図である。
【図３】発電システムの模式図で、「通常モード」で停電直後の状態を示す図である。
【図４】発電システムの模式図で、「通常モード」で停電し、発電機が定常運転状態になるまでの状態を示す図である。
【図５】発電システムの模式図で、「通常モード」で停電し、発電機が定常運転状態になった後の状態を示す図である。
【図６】発電システムの模式図で、「試験モード」で、エンジンを始動する時の状態を示す図である。
【図７】発電システムの模式図で、「試験モード」で、バッテリー群から特定電気機器への電力供給が行われる状態を示す図である。
【図８】発電システムの模式図で、「試験モード」で、バッテリー群から放電回路への電力供給が行われる状態を示す図である。
【図９】発電システムの模式図で、「試験モード」で、発電機の負荷試験が行われる状態を示す図である。
【図１０】単相交流発電機を用いた場合の発電システムの模式図で、「通常モード」で停電し、発電機が定常運転状態になった後の状態を示す図である。
【図１１】セルモーターが第１バッテリー群〜第３バッテリー群と接続される場合の発電システムの模式図で、「通常モード」で停電し、発電機が定常運転状態になった後の状態を示す図である。
【発明を実施するための形態】
【００１７】
以下、本実施形態について、図を用いて説明する（図１参照）。
【００１８】
本実施形態における発電システム１は、商用電源と特定電気機器の間に設けられ、商用電源からの電力供給が不能になった場合に特定電気機器へ電力供給を行うために使用される。
発電システム１は、エンジン３、発電機４、セルモーター５、操作部７、制御部８、第１継電器９ａ、第２継電器９ｂ、抵抗部１０（第１抵抗ユニット１０ａ、第２抵抗ユニット１０ｂ、第３抵抗ユニット１０ｃ）、スイッチング部（第１スイッチ群ＳＷ１、第２スイッチ群ＳＷ２、第３スイッチ群ＳＷ３、第１スイッチ部ＳＷＣ１、第２スイッチ部ＳＷＣ２、第３スイッチ部ＳＷＣ３）、インバーター５１、第３継電器５３、放電回路５５、Ｕ相線Ｌｕ、Ｖ相線Ｌｖ、Ｗ相線Ｌｗを有する。
【００１９】
なお、本実施形態における特定電気機器は、非常用照明器具や排煙機など、商用電源からの電力供給が不能となった状態でも、動作させる必要がある電気機器を有し、通常は商用電源から供給された電力で駆動し、商用電源からの電力供給が不能な場合には、バッテリー群（第１バッテリー群ＢＧ１〜第３バッテリー群ＢＧ３）若しくは発電機４から供給された電力で駆動する。
【００２０】
エンジン３は、ガスの爆発力などに基づいて回転力を発生させ、発電機４に当該回転力を与える装置で、セルモーター５は、エンジン３の始動に用いられる。
【００２１】
Ｕ相線Ｌｕ、Ｖ相線Ｌｖ、Ｗ相線Ｌｗは、一方が第１スイッチ部ＳＷＣ１と接続され、他方が第２スイッチ部ＳＷＣ２と接続される。
Ｕ相線Ｌｕは、第１スイッチ部ＳＷＣ１を介して、発電機４のＵ相端子ＵＴや商用電源からの電力線のＲ相線Ｌｒと接続される。
Ｖ相線Ｌｖは、第１スイッチ部ＳＷＣ１を介して、発電機４のＶ相端子ＶＴや商用電源からの電力線のＳ相線Ｌｓと接続される。
Ｗ相線Ｌｗは、第１スイッチ部ＳＷＣ１を介して、発電機４のＷ相端子ＷＴや商用電源からの電力線のＴ相線Ｌｔと接続される。
【００２２】
操作部７は、「通常モード」と、発電機４の負荷試験や抵抗部１０のバッテリーの放電試験を行う「試験モード」の切替を行うために使用されるモードスイッチ７ａ、発電機４の負荷試験を行う際の負荷量を調整する、すなわち発電機４と接続する抵抗ユニットを選択する負荷量調整スイッチ７ｂ（第１スイッチ７ｂ１、第２スイッチ７ｂ２、第３スイッチ７ｂ３）、発電システム１の動作状態を表示する表示部７ｃを有する（図２参照）。
【００２３】
制御部８は、操作部７の操作状態、及び第１継電器９ａや第２継電器９ｂや第３継電器５３からの信号に基づいて、スイッチング部（第１スイッチ群ＳＷ１、第２スイッチ群ＳＷ２、第３スイッチ群ＳＷ３、第１スイッチ部ＳＷＣ１、第２スイッチ部ＳＷＣ２、第３スイッチ部ＳＷＣ３）の各スイッチを制御する。
【００２４】
発電機４や抵抗部１０の試験を行う時以外は、モードスイッチ７ａは、「通常モード」に設定され、発電機４や抵抗部１０の試験を行う時は、モードスイッチ７ａは、「試験モード」に設定される。
【００２５】
モードスイッチ７ａが、「通常モード」に設定された場合であって、商用電源からの電力供給が可能な状態の時は、商用電源からの電力が、抵抗部１０のバッテリー（第１バッテリー群ＢＧ１、第２バッテリー群ＢＧ２、第３バッテリー群ＢＧ３）や特定電気機器に供給されるように、制御部８は、スイッチング部の各スイッチを制御する（図１参照）。
【００２６】
モードスイッチ７ａが、「通常モード」に設定された場合であって、停電など、商用電源からの電力供給が不能な状態の時は、エンジン３の始動のために、一部のバッテリー群（第１バッテリー群ＢＧ１）からの電力が、セルモーター５に供給され、残りのバッテリー群（第２バッテリー群ＢＧ２、第３バッテリー群ＢＧ３）からの電力が、特定電気機器に供給されるように、制御部８は、スイッチング部の各スイッチを制御する（図３参照）。
【００２７】
エンジン３が始動した後、発電機４が定常運転状態になるまでは、総てのバッテリー群（第１バッテリー群ＢＧ１〜第３バッテリー群ＢＧ３）をからの電力が、特定電気機器に供給されるように、制御部８は、スイッチング部の各スイッチを制御する（図４参照）。
発電機４が定常運転状態になったかどうかの判断は、第２継電器９ｂから出力される信号に基づいて行う形態であってもよいし、後述する第１時間ｔ１を用い、エンジン３の始動から第１時間ｔ１を経過したか否かで判断する形態であってもよい。
【００２８】
発電機４が定常運転になった後は、発電機４からの電力が、特定電気機器に供給されるように、制御部８は、スイッチング部の各スイッチを制御する（図５参照）。
【００２９】
停電状態が解消するなど、商用電源からの電力供給が可能な状態になった後は、エンジン３や発電機４が停止され、図１の状態に戻される。
【００３０】
操作部７や制御部８や各スイッチの駆動用の電源は、バッテリー群（第１バッテリー群ＢＧ１、第２バッテリー群ＢＧ２、第３バッテリー群ＢＧ３）の少なくとも１つが使用される。ただし、図示しない別のバッテリーを設け、当該別のバッテリーを各スイッチの駆動用に使用する形態であってもよい。
また、第１スイッチ部ＳＷＣ１は、商用電源で駆動され、オン状態の時は、商用電源が可動接点と接続され、オフ状態（停電）の時は、発電機４が可動接点と接続される形態であってもよい。
【００３１】
本実施形態では、各スイッチのリレーコイルに電流が流れていないオフ状態の時、各スイッチは、図５の状態にされる。
このため、操作部７や制御部８や各スイッチの駆動用の電源（ここでは、バッテリー群のいずれか）からの電力供給が途絶えても、発電機から特定電気機器への電力供給を行うスイッチ状態（図５のスイッチ状態）が維持されるので、エンジン３や発電機４が動作している限り、特定電気機器への電力供給を維持することが出来る。
【００３２】
モードスイッチ７ａが、「試験モード」に設定された場合は、エンジン３の始動とバッテリー群の放電試験のために、一部のバッテリー群（第１バッテリー群ＢＧ１）からの電力が、セルモーター５に供給され、残りのバッテリー群（第２バッテリー群ＢＧ２、第３バッテリー群ＢＧ３）からの電力が、特定電気機器に供給されるように、制御部８は、スイッチング部の各スイッチを制御する（バッテリー放電試験ステップ、図６参照）。
【００３３】
エンジン３が始動した後、第１時間ｔ１の間、総てのバッテリー群からの電力が、特定電気機器に供給されるように、制御部８は、スイッチング部の各スイッチを制御する（バッテリー放電試験ステップ、図７参照）。
【００３４】
これは、停電時にエンジン３を始動してから発電機４が定常運転状態になるまでの間、バッテリー群が特定電気機器への電力供給を維持出来るかどうかを試験する目的で行われる。
【００３５】
第１時間ｔ１は、エンジン３の始動から発電機４が定常運転状態になるまでに必要な時間（たとえば、４０秒）に設定される。
【００３６】
エンジン３の始動から、第１時間ｔ１が経過した後は、総てのバッテリー群からの電力が、放電回路５５に供給されるように、制御部８は、スイッチング部の各スイッチを制御する（図８参照）。
【００３７】
放電完了後、発電機４の負荷試験を行うために、バッテリー群から放電回路５５への電力供給が停止され、発電機４からの電力が、総てのバッテリー群へ供給されるように、制御部８は、スイッチング部の各スイッチを制御する（負荷試験ステップ、図９参照）。
ただし、負荷量の調整のため、発電機４から電力供給するバッテリー群を使用者が選択出来るように、第１スイッチ群ＳＷの第１スイッチＳ１１〜第１３スイッチＳ１３については、負荷量調整スイッチ７ｂ（第１スイッチ７ｂ１、第２スイッチ７ｂ２、第３スイッチ７ｂ３）の操作状態に応じてオンオフ制御される。
ここでいう放電完了は、総てのバッテリー群が完全に放電しきった状態ではなく、制御部８やスイッチング部の各スイッチなどを駆動出来る電力を残した状態を言うものとする。
【００３８】
第１継電器９ａは、商用電源の電力線（Ｒ相線Ｌｒ、Ｓ相線Ｌｓ、Ｔ相線Ｌｔ）と接続され、商用電源の電力線に流れる電流若しくは、当該電力線を介して電気機器へ印加される電圧を検知する。
【００３９】
第１継電器９１ａで検知された電流値や電圧値が所定の範囲外である（たとえば、電圧値が所定値よりも低い）場合には、第１継電器９ａは、停電など商用電源からの電力供給が不能であるとして、所定の信号を制御部８に送信し、制御部８は、スイッチング部の各スイッチを制御する。
また、第１継電器９ａに代えて、電圧若しくは電流を検知する計測器を設け、制御部８に当該電圧若しくは当該電流に関する情報を送信し、表示部７ｃに表示させる形態であってもよい。
【００４０】
第２継電器９ｂは、発電機４の電力線と接続され、発電機４の電力線に流れる電流若しくは、当該電力線を介して特定電気機器などへ印加される電圧を検知する。
【００４１】
第２継電器９ｂで検知された電流値や電圧値が所定の範囲外である（たとえば、電圧値が所定値よりも高い）場合には、第２継電器９ｂは、発電機４からの電力供給が可能である（定常運転状態である）として、所定の信号を制御部８に送信し、制御部８は、スイッチング部の各スイッチを制御する。
また、第２継電器９ｂに代えて、電圧若しくは電流を検知する計測器を設け、制御部８に当該電圧若しくは当該電流に関する情報を送信し、発電機４の負荷試験の際などに、表示部７ｃに表示させる形態であってもよい。
【００４２】
具体的には、図１、図６の状態で、商用電源からの電力供給が不能となった場合は、未だ発電機４が動作しておらず、発電機４から特定電気機器への電力供給が十分に出来ない。
このため、エンジン３の始動のために、一部のバッテリー群（第１バッテリー群ＢＧ１）からの電力が、セルモーター５に供給され、残りのバッテリー群（第２バッテリー群ＢＧ２、第３バッテリー群ＢＧ３）からの電力が、特定電気機器に供給されるように、制御部８は、スイッチング部の各スイッチを制御する（図３参照）。
【００４３】
また、図７〜図９の状態で、商用電源からの電力供給が不能となった場合は、発電機４が定常運転状態になっており、発電機４から特定電気機器への電力供給が十分に出来る。
このため、発電機４からの電力が、特定電気機器に供給されるように、制御部８は、スイッチング部の各スイッチを制御する（図５参照）。
【００４４】
抵抗部１０の第１抵抗ユニット１０ａ〜第３抵抗ユニット１０ｃは、第１スイッチ部ＳＷＣ１や第１スイッチ群ＳＷ１（単極単投式の第１１スイッチＳ１１と第１２スイッチＳ１２と第１３スイッチＳ１３）を介して、並列に、商用電源や発電機４と接続される。
【００４５】
第１スイッチ群ＳＷ１は、第１抵抗ユニット１０ａ〜第３抵抗ユニット１０ｃのうちで、商用電源若しくは発電機４と接続されるものを切り替えるために使用される。
【００４６】
また、第１抵抗ユニット１０ａ〜第３抵抗ユニット１０ｃは、第２スイッチ群ＳＷ２（単極双投式の第２１スイッチＳ２１、単極単投式の第２２スイッチＳ２２と第２３スイッチＳ２３）、第３スイッチ群ＳＷ３（単極双投式の第３１スイッチＳ３１と第３２スイッチＳ３２と第３３スイッチＳ３３）、インバーター５１を介して、直列又は単独で特定電気機器若しくは放電回路５５と接続される。
【００４７】
第２スイッチ群ＳＷ２と第３スイッチ群ＳＷ３は、第１抵抗ユニット１０ａ〜第３抵抗ユニット１０ｃのそれぞれに設けられた第１バッテリー群ＢＧ１〜第３バッテリー群ＢＧ３のうちで、セルモーター５に接続されるものや、特定電気機器若しくは放電回路５５に接続されるものを切り替えるために使用される。
【００４８】
第１抵抗ユニット１０ａは、第１ＡＣ／ＤＣコンバーター１１ａ、第１充電回路１３ａ、第１バッテリー群ＢＧ１を有する。
第１ＡＣ／ＤＣコンバーター１１ａは、第１１スイッチＳ１１を介して、Ｕ相線Ｌｕと接続され、Ｖ相線Ｌｖと接続され、商用電源若しくは発電機４からＵ相線ＬｕやＶ相線Ｌｖを介して供給される電力について、電気の種類を交流から直流に変換する。
第１バッテリー群ＢＧ１は、１以上の二次電池を有し、第１ＡＣ／ＤＣコンバーター１１ａや第１充電回路１３ａを介して、商用電源若しくは発電機４から供給される電力を蓄積する。蓄積する際における、第１ＡＣ／ＤＣコンバーター１１ａや第１充電回路１３ａや第１バッテリー群ＢＧ１の抵抗が、発電機４の負荷試験の負荷として利用される。
第１抵抗ユニット１０ａには、第１バッテリー群ＢＧ１の充電状態を検知するため、第１バッテリー群ＢＧ１の充電電圧若しくは充電電流を計測する装置が設けられ、第１バッテリー群ＢＧ１が満充電の時には、第１充電回路１３ａを介した第１抵抗ユニット１０ａへの電力供給を遮断させる制御が行われるのが望ましい。
【００４９】
第２抵抗ユニット１０ｂは、第２ＡＣ／ＤＣコンバーター１１ｂ、第２充電回路１３ｂ、第２バッテリー群ＢＧ２を有する。
第２ＡＣ／ＤＣコンバーター１１ｂは、第１２スイッチＳ１２を介して、Ｗ相線Ｌｗと接続され、Ｕ相線Ｌｕと接続され、商用電源若しくは発電機４からＷ相線ＬｗやＵ相線Ｌｕを介して供給される電力について、電気の種類を交流から直流に変換する。
第２バッテリー群ＢＧ２は、１以上の二次電池を有し、第２ＡＣ／ＤＣコンバーター１１ｂや第２充電回路１３ｂを介して、商用電源若しくは発電機４から供給される電力を蓄積する。蓄積する際における、第２ＡＣ／ＤＣコンバーター１１ｂや第２充電回路１３ｂや第２バッテリー群ＢＧ２の抵抗が、発電機４の負荷試験の負荷として利用される。
第２抵抗ユニット１０ｂには、第２バッテリー群ＢＧ２の充電状態を検知するため、第２バッテリー群ＢＧ２の充電電圧若しくは充電電流を計測する装置が設けられ、第２バッテリー群ＢＧ２が満充電の時には、第２充電回路１３ｂを介した第２抵抗ユニット１０ｂへの電力供給を遮断させる制御が行われるのが望ましい。
【００５０】
第３抵抗ユニット１０ｃは、第３ＡＣ／ＤＣコンバーター１１ｃ、第３充電回路１３ｃ、第３バッテリー群ＢＧ３を有する。
第３ＡＣ／ＤＣコンバーター１１ｃは、第１３スイッチＳ１３を介して、Ｖ相線Ｌｖと接続され、Ｗ相線Ｌｗと接続され、商用電源若しくは発電機４からＶ相線ＬｖやＷ相線Ｌｗを介して供給される電力について、電気の種類を交流から直流に変換する。
第３バッテリー群ＢＧ３は、１以上の二次電池を有し、第３ＡＣ／ＤＣコンバーター１１ｃや第３充電回路１３ｃを介して、商用電源若しくは発電機４から供給される電力を蓄積する。蓄積する際における、第３ＡＣ／ＤＣコンバーター１１ｃや第３充電回路１３ｃや第３バッテリー群ＢＧ３の抵抗が、発電機４の負荷試験の負荷として利用される。
第３抵抗ユニット１０ｃには、第３バッテリー群ＢＧ３の充電状態を検知するため、第３バッテリー群ＢＧ３の充電電圧若しくは充電電流を計測する装置が設けられ、第３バッテリー群ＢＧ３が満充電の時には、第３充電回路１３ｃを介した第３抵抗ユニット１０ｃへの電力供給を遮断させる制御が行われるのが望ましい。
【００５１】
また、第１抵抗ユニット１０ａ〜第３抵抗ユニット１０ｃそれぞれのＡＣ／ＤＣコンバーターや充電回路やバッテリー群を冷却するために、これらの近傍に冷却ファンが設けられるのが望ましい。
【００５２】
負荷試験の時間内に、二次電池への充電が完了出来るように、第１抵抗ユニット１０ａ〜第３抵抗ユニット１０ｃのそれぞれの充電回路は、急速充電タイプのものであることが望ましい。
【００５３】
本実施形態では、第１バッテリー群ＢＧ１〜第３バッテリー群ＢＧ３のそれぞれは、１２Ｖの二次電池を２つ有し且つ直列に接続され、第１抵抗ユニット１０ａ〜第３抵抗ユニット１０ｃのそれぞれが、バッテリー群とＡＣ／ＤＣコンバーターと充電回路とで、定格容量２ｋＷの抵抗器群を構成する例を示す。ただし、二次電池の数や、定格容量の値は、これに限るものではない。
【００５４】
また、抵抗部１０が３つの抵抗ユニット（第１抵抗ユニット１０ａ〜第３抵抗ユニット１０ｃ）で構成される形態を示すが、負荷試験のため、少なくとも２つの抵抗ユニットがあればよく、また４以上の抵抗ユニットが設けられる形態であってもよい。
【００５５】
また、抵抗ユニットのそれぞれについて、充電回路とバッテリー群の間には、バッテリー群から充電回路への放電（逆流）を防ぐために、ダイオードなどの逆流防止装置（不図示）が設けられるのが望ましい。
【００５６】
また、第１スイッチ群ＳＷ１（第１１スイッチＳ１１〜第１３スイッチＳ１３）が、Ｕ相線ＬｕやＶ相線ＬｖやＷ相線Ｌｗと抵抗ユニットのＡＣ／ＤＣコンバーターの間に設けられる形態を説明したが、抵抗ユニットの充電回路とバッテリー群の間に設けられる形態であってもよい。この場合には、第１スイッチ群ＳＷ１が逆流防止装置の役割も果たす。
【００５７】
次に、バッテリー群や各スイッチの接続形態について説明する。
第１バッテリー群ＢＧ１の一方の端子（＋端子）は、第１充電回路１３ａの一方の端子や第２１スイッチＳ２１の共通端子（可動接点）と接続される。
第２バッテリー群ＢＧ２の一方の端子（＋端子）は、第２充電回路１３ｂの一方の端子や第２２スイッチＳ２２の端子の一方（たとえば、固定接点）と接続される。
第３バッテリー群ＢＧ３の一方の端子（＋端子）は、第３充電回路１３ｃの一方の端子や第２３スイッチＳ２３の端子の一方（たとえば、固定接点）と接続される。
【００５８】
第１バッテリー群ＢＧ１の他方の端子（−端子）は、セルモーター５の一方の端子や第１充電回路１３ａの他方の端子や第３１スイッチＳ３１の端子の一方（常時閉路接点）と接続される。
第２バッテリー群ＢＧ２の他方の端子（−端子）は、第２充電回路１３ｂの他方の端子や第３２スイッチＳ３２の端子の一方（常時閉路接点）と接続される。
第３バッテリー群ＢＧ３の他方の端子（−端子）は、第３充電回路１３ｃの他方の端子や第３３スイッチＳ３３の端子の一方（常時閉路接点）と接続される。
【００５９】
第３１スイッチ３１の端子の一方（常時閉路接点）は、第１バッテリー群ＢＧ１の他方の端子（−端子）と接続され、第３１スイッチＳ３１の端子の他方（常時開路接点）は、第２１スイッチＳ２１の端子の一方（常時閉路接点）やインバーター５１と接続され、第３１スイッチＳ３１の共通端子（可動接点）は、第２２スイッチＳ２２の端子の他方（たとえば、可動接点）や第３２スイッチＳ３２の端子の他方（常時開路接点）と接続される。
【００６０】
第３２スイッチＳ３２の端子の一方（常時閉路接点）は、第２バッテリー群ＢＧ２の他方の端子（−端子）と接続され、第３２スイッチＳ３２の端子の他方（常時開路接点）は、第２２スイッチＳ２２の端子の他方（たとえば、可動接点）や第３１スイッチＳ３１の共通端子と接続され、第３２スイッチＳ３２の共通端子（可動接点）は、第２３スイッチＳ２３の端子の他方（たとえば、可動接点）や第３３スイッチＳ３３の端子の他方（常時開路接点）と接続される。
【００６１】
第３３スイッチＳ３３の端子の一方（常時閉路接点）は、第３バッテリー群ＢＧ３の他方の端子（−端子）と接続され、第３３スイッチＳ３３の端子の他方（常時開路接点）は、第２３スイッチＳ２３の端子の他方（たとえば、可動接点）や第３２スイッチＳ３２の共通端子と接続され、第３３スイッチＳ３３の共通端子（可動接点）は、インバーター５１と接続される。
【００６２】
第２１スイッチＳ２１の端子の他方（常時開路接点）は、セルモーター５の他方の端子と接続される。
【００６３】
第１スイッチ部ＳＷＣ１は、連動して動作する３つの単極双投式スイッチを有し、バッテリー群若しくは特定電気機器への電力の供給元を、商用電源と発電機４とで切り替え制御するために使用される。
【００６４】
第１スイッチ部ＳＷＣ１を構成する３つのスイッチのうち、共通端子（可動接点）がＵ相線Ｌｕと接続されたものは、端子の一方（たとえば、常時開路接点）が、商用電源からの電力線のＲ相線Ｌｒと接続され、端子の他方（たとえば、常時閉路接点）が、発電機４のＵ相端子ＵＴからの電力線と接続される。
第１スイッチ部ＳＷＣ１を構成する３つのスイッチのうち、共通端子（可動接点）がＶ相線Ｌｖと接続されたものは、端子の一方（たとえば、常時開路接点）が、商用電源からの電力線のＳ相線Ｌｓと接続され、端子の他方（たとえば、常時閉路接点）が、発電機４のＶ相端子ＶＴからの電力線と接続される。
第１スイッチ部ＳＷＣ１を構成する３つのスイッチのうち、共通端子（可動接点）がＷ相線Ｌｗと接続されたものは、端子の一方（たとえば常時開路接点）が、商用電源からの電力線のＴ相線Ｌｔと接続され、端子の他方（たとえば、常時閉路接点）が、発電機４のＷ相端子ＷＴからの電力線と接続される。
【００６５】
第２スイッチ部ＳＷＣ２は、連動して動作する３つの単極双投式スイッチを有し、特定電気機器への電力の供給元を、発電機４とバッテリー群とで切り替え制御するために使用される。
第２スイッチ部ＳＷＣ２を構成する３つのスイッチは、それぞれ、端子の一方（たとえば、常時閉路接点）が発電機４からの電力線（Ｕ相線Ｌｕ、Ｖ相線Ｌｖ、Ｗ相線ｗ）と接続され、端子の他方（たとえば、常時開路接点）が第３スイッチ部ＳＷＣ３を構成する３つのスイッチそれぞれの端子の一方（たとえば、常時閉路接点）からの電力線と接続され、共通端子（可動接点）が特定電気機器と接続される。
【００６６】
第３スイッチ部ＳＷＣ３は、連動して動作する３つの単極双投式スイッチを有し、バッテリー群からの電力の供給先を、特定電気機器と放電回路５５とで切り替え制御するために使用される。
第３スイッチ部ＳＷＣ３を構成する３つのスイッチは、それぞれ、端子の一方（たとえば、常時閉路接点）が、第２スイッチ部ＳＷＣ２を構成する３つのスイッチそれぞれの端子の他方（たとえば、常時開路接点）からの電力線と接続され、端子の他方（たとえば、常時開路接点）が放電回路５５からの電力線と接続され、共通端子（可動接点）がインバーター５１からの電力線と接続される。
【００６７】
インバーター５１は、第１バッテリー群ＢＧ１〜第３バッテリー群ＢＧ３から供給される電力について、電気の種類を直流から交流に変換し、交流の電力を後段の特定電気機器若しくは放電回路５５に供給する。
【００６８】
第３継電器５３は、インバーター５１と第３スイッチ部ＳＷＣ３の間に設けられ、インバーター５１から特定電気機器や放電回路５５への電力線と接続され、当該電力線に流れる電流若しくは、当該電力線を介して特定電気機器若しくは放電回路５５へ印加される電圧を検知する。
第３継電器５３で検知された電流値や電圧値が所定の範囲外である（たとえば、電圧値が所定値よりも低い）場合には、第３継電器５３は、第１バッテリー群ＢＧ１〜第３バッテリー群ＢＧ３の放電が完了したとして、所定の信号を制御部８に送信し、発電機４の負荷試験を行うため、発電機４からの電力が、バッテリー群へ供給されるように、制御部８は、スイッチング１５の各スイッチを制御する（図９参照）。
また、第３継電器５３に代えて、電圧若しくは電流を検知する計測器を設け、制御部８に当該電圧若しくは当該電流に関する情報を送信し、バッテリー群の放電試験の際などに、表示部７ｃに表示させる形態であってもよい。
【００６９】
放電回路５５は、抵抗器など、バッテリー群から供給された電力を消費する負荷（電気部材）を有し、バッテリー群の放電のために使用される。
バッテリー群を特定電気機器に接続した場合に比べて、バッテリー群の放電を早くするため、放電回路５５は、発電システム１に接続される特定電気機器の消費電力よりも大きい負荷を有する。
【００７０】
特定電気機器への電力供給を行う発電機４とバッテリー群とを一体にした発電システム１により、商用電源からの電力供給が不能となった場合でも、スムーズに、バッテリーや発電機４から供給された電力で、特定電気機器を駆動することが出来る。
【００７１】
本実施形態では、バッテリー群を含む抵抗ユニットが並列に複数設けられ、これら複数の抵抗ユニットと発電機４との接続状態を切り替えることにより、発電機４の負荷試験を行うことが出来る。
また、その前にバッテリー群から特定電気機器への電力供給を行うので、停電時にエンジン３を始動してから発電機４が定常運転になるまでの間、バッテリー群が特定電気機器への電力供給を維持出来るかどうかの試験（放電試験）を行うことが出来る。
放電試験の際に、セルモーター５を使ってエンジン３を始動し、発電機４による発電を行っておく（発電機４が発電を行う状態で放電試験などが行われる）ので、放電試験中や負荷試験中に停電が起きても、瞬時に発電機４から特定電気機器への電力供給に切り替えることが出来る。
【００７２】
放電試験完了後は、バッテリー群から特定電気機器への電力供給を、バッテリー群から放電回路５５への電力供給に切り替える。
消費電力が大きい放電回路５５への電力供給に切り替えることにより、バッテリー群の放電時間を早めることが出来、また、特定電気機器の使用を最小限に抑えることが出来る。
【００７３】
なお、本実施形態では、商用電源などから電力供給される電気の種類が三相交流である形態を説明したが、単相交流である形態でも良い（図１０参照）。
【００７４】
また、セルモーター５への電力供給は第１バッテリー群ＢＧ１単独で行う形態であってもよいが、第１バッテリー群ＢＧ１〜第３バッテリー群ＢＧ３の総てで行う形態であってもよい（図１１参照）。
この場合、セルモーター５とインバーター５１は、第１バッテリー群ＢＧ１〜第３バッテリー群ＢＧ３に対して並列に接続されることになり、セルモーター５への電力供給のオンオフ制御のために、単極単投式の第４１スイッチＳ４１が設けられる。また、第２１スイッチＳ２１は、単極双投式のものから単極単投式のものに置き換えられる。
【００７５】
また、スイッチング１５の各スイッチの制御は、制御部８によるものだけに限らない。
たとえば、第１継電器９ａ、第２継電器９ｂ、第３継電器５３からの出力信号や、操作部７の操作状態に基づいて、制御部８を介さずに、各スイッチが制御される形態が考えられる。
【００７６】
具体的に各スイッチの動作状態を説明する。
【００７７】
第１スイッチ部ＳＷＣ１は、第１継電器９ａからの出力信号やモードスイッチ７ａの操作状態に基づいて動作する。
「通常モード」に設定され、商用電源からの電力供給がある場合は、第１スイッチ部ＳＷＣ１の可動接点は、オン状態で商用電源と接続される（図１参照）。
「通常モード」に設定され、商用電源からの電力供給が無い場合は、第１スイッチ部ＳＷＣ１の可動接点は、オフ状態で発電機４と接続される（図３〜図５参照）。
「試験モード」に設定された場合は、第１スイッチ部ＳＷＣ１の可動接点は、オフ状態で発電機４と接続される（図６〜図９参照）。
【００７８】
第２スイッチ部ＳＷＣ２は、第１継電器９ａと第２継電器９ｂからの出力信号やモードスイッチ７ａの操作状態に基づいて動作する。
「通常モード」に設定され、商用電源からの電力供給がある場合は、第２スイッチ部ＳＷＣ２の可動接点は、オフ状態で第１スイッチ部ＳＷＣ１（発電機４側）と接続される（図１参照）。
「通常モード」に設定され、商用電源からの電力供給が無い場合は、発電機４が定常運転状態になるまでは、第２スイッチ部ＳＷＣ２の可動接点は、オン状態で第３スイッチ部ＳＷＣ３（インバーター５１側）と接続され（図３、図４参照）、発電機４が定常運転状態になった後は、第２スイッチ部ＳＷＣ２の可動接点は、オフ状態で第１スイッチ部ＳＷＣ１（発電機４側）と接続される（図５参照）。
「試験モード」に設定された場合は、第２スイッチ部ＳＷＣ２の可動接点は、オン状態で第３スイッチ部ＳＷＣ３（インバーター５１側）と接続される（図６〜図９参照）。
【００７９】
ただし、第２スイッチ部ＳＷＣ２は、第１時間ｔ１を計測するタイマーを内蔵し、第１継電器９ａからの出力信号やモードスイッチ７ａの操作状態に基づいて動作する形態であってもよい。
「通常モード」に設定され、商用電源からの電力供給がある場合は、第２スイッチ部ＳＷＣ２の可動接点は、オフ状態で第１スイッチ部ＳＷＣ１（発電機４側）と接続される（図１参照）。
「通常モード」に設定され、商用電源からの電力供給が無い場合は、エンジン３の始動から第１時間ｔ１が経過するまでは、第２スイッチ部ＳＷＣ２の可動接点は、オン状態で第３スイッチ部ＳＷＣ３（インバーター５１側）と接続され（図３、図４参照）、第１時間ｔ１が経過した後は、第２スイッチ部ＳＷＣ２の可動接点は、オフ状態で第１スイッチ部ＳＷＣ１（発電機４側）と接続される（図５参照）。
「試験モード」に設定された場合は、第２スイッチ部ＳＷＣ２の可動接点は、オン状態で第３スイッチ部ＳＷＣ３（インバーター５１側）と接続される（図６〜図９参照）。
【００８０】
第３スイッチ部ＳＷＣ３は、第１時間ｔ１を計測するタイマーを内蔵し、第３継電器５３からの出力信号やモードスイッチ７ａの操作状態に基づいて動作する。
「通常モード」に設定された場合は、第３スイッチ部ＳＷＣ３の可動接点は、オフ状態で第２スイッチ部ＳＷＣ２（特定電気機器側）と接続される（図１、図３〜図５参照）。
「試験モード」に設定された場合は、エンジン３の始動から第１時間ｔ１が経過するまでは、第３スイッチ部ＳＷＣ３の可動接点は、オフ状態で第２スイッチ部ＳＷＣ２（特定電気機器側）と接続され（図６、図７参照）、第１時間ｔ１が経過した後であって、バッテリー群の放電が完了するまでは、第３スイッチ部ＳＷＣ３の可動接点は、オン状態で放電回路５５と接続され（図８参照）、バッテリー群の放電が完了した後は、第３スイッチ部ＳＷＣ３の可動接点は、オフ状態で第２スイッチ部ＳＷＣ２（特定電気機器側）と接続される（図９参照）。
【００８１】
第１スイッチ群ＳＷ１（第１１スイッチＳ１１〜第１３スイッチＳ１３）は、第３継電器５３からの出力信号やモードスイッチ７ａや負荷量調整スイッチ７ｂの操作状態に基づいて動作する。
「通常モード」に設定され、商用電源からの電力供給がある場合は、第１スイッチ群ＳＷ１のそれぞれはオン状態（閉路状態）にされる（図１参照）。
「通常モード」に設定され、商用電源からの電力供給が無い場合は、第１スイッチ群ＳＷ１のそれぞれはオフ状態（開路状態）にされる（図３〜図５参照）。
「試験モード」に設定され、バッテリー群の放電が完了するまでは、第１スイッチ群ＳＷ１のそれぞれはオフ状態（開路状態）にされ（図６〜図８参照）、バッテリー群の放電が完了した後は、第１１スイッチＳ１１は、第１スイッチ７ｂ１の操作状態に応じてオンオフ制御され、第１２スイッチＳ１２は、第２スイッチ７ｂ２の操作状態に応じてオンオフ制御され、第１３スイッチＳ１３は、第３スイッチ７ｂｃの操作状態に応じてオンオフ制御される（図９参照）。
【００８２】
第２スイッチ群ＳＷ２の第２１スイッチＳ２１は、第２時間ｔ２を計測するタイマーを内蔵し、第１継電器９ａからの出力信号やモードスイッチ７ａの操作状態に基づいて動作する。
第２時間ｔ２は、セルモーター５を動作させてエンジン３が始動するまでに必要な時間（たとえば、２秒）に設定される。
「通常モード」に設定され、商用電源からの電力供給がある場合は、第２１スイッチＳ２１の可動接点は、オフ状態でインバーター５１と接続される（図１参照）。
「通常モード」に設定され、商標電源からの電力供給が無い場合は、セルモーター５を動作させてから第２時間ｔ２が経過するまでは、第２１スイッチＳ２１の可動接点は、オン状態でセルモーター５と接続され（図３参照）、第２時間ｔ２が経過した後は、第２１スイッチＳ２１の可動接点は、オフ状態でインバーター５１と接続される（図４、図５参照）。
「試験モード」に設定され、セルモーター５を動作させてから第２時間ｔ２が経過するまでは、第２１スイッチＳ２１の可動接点は、オン状態でセルモーター５と接続され（図６参照）、第２時間ｔ２が経過した後は、第２１スイッチＳ２１の可動接点は、オフ状態でインバーター５１と接続される（図７〜図９参照）。
【００８３】
第２スイッチ群ＳＷ２の第２２スイッチＳ２２と第２３スイッチＳ２３は、第１継電器９ａと第２継電器９ｂと第３継電器５３からの出力信号やモードスイッチ７ａの操作状態に基づいて動作する。
「通常モード」に設定され、商用電源からの電力供給がある場合は、第２２スイッチＳ２２や第２３スイッチＳ２３は、オフ状態（開路状態）にされる（図１参照）。
「通常モード」に設定され、商用電源からの電力供給が無い場合は、発電機４が定常運転状態になるまでは、第２２スイッチＳ２２や第２３スイッチＳ２３は、オン状態（閉路状態）にされ（図３、図４参照）、発電機４が定常運転状態になった後は、第２２スイッチＳ２２や第２３スイッチＳ２３は、オフ状態（開路状態）にされる（図５参照）。
「試験モード」に設定された場合は、バッテリー群の放電が完了するまでは、第２２スイッチＳ２２や第２３スイッチＳ２３は、オン状態（閉路状態）にされ（図６〜図８参照）、バッテリー群の放電が完了した後は、第２２スイッチＳ２２や第２３スイッチＳ２３は、オフ状態（開路状態）にされる（図９参照）。
【００８４】
ただし、第２スイッチ群ＳＷ２の第２２スイッチＳ２２と第２３スイッチＳ２３は、第１時間ｔ１を計測するタイマーを内蔵し、第１継電器９ａと第３継電器５３からの出力信号やモードスイッチ７ａの操作状態に基づいて動作する形態であってもよい。
「通常モード」に設定され、商用電源からの電力供給がある場合は、第２２スイッチＳ２２や第２３スイッチＳ２３は、オフ状態（開路状態）にされる（図１参照）。
「通常モード」に設定され、商用電源からの電力供給が無い場合は、エンジン３の始動から第１時間ｔ１が経過するまでは、第２２スイッチＳ２２や第２３スイッチＳ２３は、オン状態（閉路状態）にされ（図３、図４参照）、第１時間ｔ１が経過した後は、第２２スイッチＳ２２や第２３スイッチＳ２３は、オフ状態（開路状態）にされる（図５参照）。
「試験モード」に設定された場合は、バッテリー群の放電が完了するまでは、第２２スイッチＳ２２や第２３スイッチＳ２３は、オン状態（閉路状態）にされ（図６〜図８参照）、バッテリー群の放電が完了した後は、第２２スイッチＳ２２や第２３スイッチＳ２３は、オフ状態（開路状態）にされる（図９参照）。
【００８５】
第３スイッチ群ＳＷ３の第３１スイッチＳ３１は、第２時間ｔ２を計測するタイマーを内蔵し、第１継電器９ａからの出力信号やモードスイッチ７ａの操作状態に基づいて動作する。
「通常モード」に設定され、商用電源からの電力供給がある場合は、第３１スイッチＳ３１の可動接点は、オフ状態で第１バッテリー群ＢＧ１の他方の端子（−端子）と接続される（図１参照）。
「通常モード」に設定され、商用電源からの電力供給が無い場合は、セルモーター５を動作させてから第２時間ｔ２が経過するまでは、第３１スイッチＳ３１の可動接点は、インバーター５１と接続され（図３参照）、第２時間ｔ２が経過した後は、第３１スイッチＳ３１の可動接点は、第１バッテリー群ＢＧ１の他方の端子（−端子）と接続される（図４、図５参照）。
「試験モード」に設定された場合は、セルモーター５を動作させてから第２時間ｔ２が経過するまでは、第３１スイッチＳ３１の可動接点は、インバーター５１と接続され（図６参照）、第２時間ｔ２が経過した後は、第３１スイッチＳ３１の可動接点は、第１バッテリー群ＢＧ１の他方の端子（−端子）と接続される（図７〜図９参照）。
【００８６】
第３スイッチ群ＳＷ３の第３２スイッチＳ３２の可動接点は、「通常モード」でも「試験モード」でも、第２バッテリーＢＧ２の他方の端子（−端子）と接続され（図１、図３〜図９参照）、点検などでバッテリー群の接続条件を変える（たとえば、複数バッテリー群の直列接続から、第３バッテリー群ＢＧ３の単独使用に変える）際に、第３２スイッチＳ３２の可動接点は、第３１スイッチ３１（インバーター５１側）と接続される。
【００８７】
第３スイッチ群ＳＷ３の第３３スイッチＳ３３の可動接点は、「通常モード」でも「試験モード」でお、第３バッテリーＢＧ３の他方の端子（−端子）と接続され（図１、図３〜図９参照）、点検などでバッテリー群の接続条件を変える（たとえば、複数バッテリー群の直列接続から、第２バッテリー群ＢＧ２の単独使用に変える）際に、第３３スイッチＳ３３の可動接点は、第３２スイッチＳ３２（インバーター５１側）と接続される。
【符号の説明】
【００８８】
１  発電システム
３  エンジン
４  発電機
５  セルモーター
７  操作部
７ａ  モードスイッチ
７ｂ  負荷量調整スイッチ
７ｂ１〜７ｂ３  第１スイッチ〜第３スイッチ
７ｃ  表示部
８  制御部
９ａ、９ｂ  第１継電器、第２継電器
１０  抵抗部
１０ａ〜１０ｃ  第１抵抗ユニット〜第３抵抗ユニット
１１ａ〜１１ｃ  第１ＡＣ／ＤＣコンバーター〜第３ＡＣ／ＤＣコンバーター
１３ａ〜１３ｃ  第１充電回路〜第３充電回路
５１  インバーター
５３  第３継電器
５５  放電回路
ＢＧ１〜ＢＧ３  第１バッテリー群〜第３バッテリー群
Ｌｒ  商用電源からの電力線のＲ相線
Ｌｓ  商用電源からの電力線のＳ相線
Ｌｔ  商用電源からの電力線のＴ相線
Ｌｕ  Ｕ相線
Ｌｖ  Ｖ相線
Ｌｗ  Ｗ相線
Ｓ１１〜Ｓ１３  第１１スイッチ〜第１３スイッチ
Ｓ２１〜Ｓ２３  第２１スイッチ〜第２３スイッチ
Ｓ３１〜Ｓ３３  第３１スイッチ〜第３３スイッチ
Ｓ４１  第４１スイッチ
ＳＷ１〜ＳＷ３  第１スイッチ群〜第３スイッチ群
ＳＷＣ１〜ＳＷＣ３  第１スイッチ部〜第３スイッチ部
ＵＴ  発電機のＵ相端子
ＶＴ  発電機のＶ相端子
ＷＴ  発電機のＷ相端子
【要約】
バッテリーの放電試験や発電機の負荷試験が可能な発電システム
抵抗ユニットのそれぞれは、バッテリーと、充電回路を有するものであり、第１スイッチ部は、抵抗ユニットのバッテリー若しくは特定電気機器への電力の供給元を、商用電源と発電機とで切り替え制御するために使用され、第２スイッチ部は、特定電気機器への電力の供給元を、発電機とインバーターを介した抵抗ユニットのバッテリーとで切り替え制御するために使用され、試験モードに設定された場合には、発電機が発電を行う状態で、バッテリーの放電試験のために、インバーターと第２スイッチ部を介してバッテリーからの電力が特定電気機器へ供給され、発電機の負荷試験のために、バッテリーから特定電気機器への電力供給が停止され、第１スイッチ部を介して発電機からの電力がバッテリーへ供給される。【図１】
0005968581.tif 000002
【図２】
0005968581.tif 000003
【図３】
0005968581.tif 000004
【図４】
0005968581.tif 000005
【図５】
0005968581.tif 000006
【図６】
0005968581.tif 000007
【図７】
0005968581.tif 000008
【図８】
0005968581.tif 000009
【図９】
0005968581.tif 000010
【図１０】
0005968581.tif 000011
【図１１】
0005968581.tif 000012